(57)【要約】【課題】電池カバーの閉め忘れを防止することを可能とすることができるようにする。【解決手段】リアケース１１には、リアケース１１内に収納された電池１３を覆うための電池カバー３１が開閉可能に取り付けられている。リアケース１１には一対の固定接点１７、１８が設けられている。電池カバー３１には１つの可動接点３４が設けられている。そして、電池カバー３１が開けられると、一対の固定接点１７、１８と可動接点３４とによって構成されたスイッチがオフ状態となり、このオフ状態に基づいて、電池カバー３１が開けられたことが検知される。そして、電池カバー３１が開けられたことが検知されると、例えば、「電池カバーが開いています」と連続して、あるいは一定の間隔をおいてアナウンスすると、電池カバー３１の閉め忘れを防止することを可能とすることができる。【選択図】図３
2013021431.tif 000002
【特許請求の範囲】
【請求項１】
ケースの少なくとも一部を覆うためのカバーを有する電子機器において、前記ケースに一対の固定接点が設けられ、前記カバーに１つの可動接点が設けられ、前記カバーが開けられると、前記固定接点と前記可動接点とによって構成されたスイッチがオフ状態となり、このオフ状態に基づいて、前記カバーが開けられたことを検知し、且つ、前記カバーが閉じられると、前記スイッチがオン状態となり、このオン状態に基づいて、前記カバーが閉じられたことを検知することを特徴とする電子機器のカバー構造。
【請求項２】
前記カバーが開けられたことが検知されると、前記カバーが開いていることを知らせるためのアナウンスが行われることを特徴とする請求項１に記載の電子機器のカバー構造。
【請求項３】
前記カバーは、前記ケース内に収納された電池を覆うための電池カバーであることを特徴とする請求項１または２に記載の電子機器のカバー構造。
【請求項４】
前記電池カバーは前記ケースに開閉可能に取り付けられ、前記スイッチがオン状態となっている状態において、前記スイッチは前記電池カバーを閉じられた状態に機械的にロックするロック機能を備えていることを特徴とする請求項３に記載の電子機器のカバー構造。
【請求項５】
前記電池カバーの内面にバッキンが設けられていることを特徴とする請求項３または４に記載の電子機器のカバー構造。
【請求項６】
前記電池カバーにアンテナが前記可動接点に接続されて設けられていることを特徴とする請求項３〜５のいずれかに記載の電子機器のカバー構造。
【発明の詳細な説明】
【技術分野】
【０００１】
この発明は電子機器のカバー構造に関し、例えば、携帯型電子機器における電池カバー等のカバー構造に関する。
【背景技術】
【０００２】
例えば、携帯電話等の携帯型電子機器における従来の電池カバー構造には、ケースに電池収納部が設けられ、電池収納部内に電池が収納され、ケースに電池収納部を覆うための電池カバーが取り外し可能に取り付けられたものがある（例えば、特許文献１参照）。この電池カバー構造では、ケースの電池収納部内に電池を収納するとき、ケースから電池カバーを取り外し、ケースの電池収納部内に電池を収納し、ケースに電池カバーを取り付けている。
【先行技術文献】
【特許文献】
【０００３】
【特許文献１】特開２００８−１０９４９４号公報
【発明の概要】
【発明が解決しようとする課題】
【０００４】
しかしながら、上記従来の電池カバー構造では、ケースに電池カバーを取り付けることを忘れた場合、ケースの電池収納部の部分が露呈してしまうという問題がある。
【０００５】
そこで、この発明は、カバーの閉め忘れを防止することを可能とすることができる電子機器のカバー構造を提供することを目的とする。
【課題を解決するための手段】
【０００６】
この発明に係る電子機器のカバー構造は、ケースの少なくとも一部を覆うためのカバーを有する電子機器において、前記ケースに一対の固定接点が設けられ、前記カバーに１つの可動接点が設けられ、前記カバーが開けられると、前記固定接点と前記可動接点とによって構成されたスイッチがオフ状態となり、このオフ状態に基づいて、前記カバーが開けられたことを検知し、且つ、前記カバーが閉じられると、前記スイッチがオン状態となり、このオン状態に基づいて、前記カバーが閉じられたことを検知することを特徴とするものである。
【発明の効果】
【０００７】
この発明によれば、カバーの閉め忘れを防止することを可能とすることができる。
【図面の簡単な説明】
【０００８】
【図１】この発明の一実施形態としての電池カバー構造を備えた携帯電話の正面側から見た斜視図。
【図２】携帯電話を背面側から見た斜視図。
【図３】電池カバーを開けた状態を背面側から見た斜視図。
【図４】電池カバーを省略し、且つ、一部を切り欠いた状態における背面図。
【図５】図４のＶ−Ｖ線に沿う部分に相当する電池カバーを開けた状態における断面図。
【図６】（Ａ）は図３に示す電池カバーを手前側から見た図、（Ｂ）は図３に示す電池カバーを下側から見た図。
【図７】電池カバーを閉じた状態における図５同様の断面図。
【図８】この発明の他の実施形態において電池カバーを開けた状態を背面側から見た斜視図。
【図９】（Ａ）は図８に示す電池カバーを手前側から見た図、（Ｂ）は図８に示す電池カバーを下側から見た図。
【発明を実施するための形態】
【０００９】
図１はこの発明の一実施形態としての電池カバー構造を備えた携帯電話の正面側から見た斜視図を示し、図２は携帯電話を背面側から見た斜視図を示す。この携帯電話は、フロントケース１およびこのフロントケース１の下側に設けられたリアケース１１を備えている。フロントケース１の上面にはタッチパネル２が設けられている。リアケース１１の手前側の角部には電池カバー３１が、後述の如く、開閉可能に設けられている。
【００１０】
次に、図３は電池カバー３１を開けた状態を背面側から見た斜視図を示し、図４は電池カバー３１を省略し、且つ、一部を切り欠いた背面図を示し、図５は図３のＶ−Ｖ線に沿う部分に相当する電池カバー３１を開けた状態における断面図を示す。フロントケース１内においてタッチパネル２の内側には液晶表示パネル３が設けられている。
【００１１】
リアケース１１の手前側（図４の右側）の側壁の図３における左側には長孔からなる電池挿入孔１２が設けられている。電池挿入孔１２に方形板状の電池１３が挿入されると、この挿入された電池１３はリアケース１１内に収納されるようになっている。電池１３の手前側には取手１４が設けられている。
【００１２】
リアケース１１の手前側（図４の右側）の側壁の図３における右側には方形状のコネクタ本体取付孔１５が設けられている。コネクタ取付孔１５には方形状のコネクタ本体１６が取り付けられている。コネクタ本体１６の前面の左右には板バネからなるほぼΩ字形状の一対の固定接点１７、１８が設けられている。コネクタ本体１６の後面の左右には、各固定接点１７、１８に接続された一対のリード１９、２０が設けられている。各リード１９、２０は、リアケース１１の内部に設けられた回路基板２１に電気的に接続されている。ここで、リアケース１１内に収納された電池１３は回路基板２１に電気的に接続されるようになっている。
【００１３】
次に、図６（Ａ）は図３に示す電池カバー３１を手前側から見た図を示し、図６（Ｂ）は図３に示す電池カバー３１を下側から見た図を示す。電池カバー３１は、側面Ｌ字形状であり、その折曲部両側に設けられたピン３２を介して、図３に示すように、リアケース１１に開閉可能に取り付けられている。電池カバー３１の内面の所定の箇所にはステンレス鋼等からなる帯状のアンテナ３３が設けられている。アンテナ３３の一端部は、電池カバー３１の内面の所定の箇所に設けられた板バネからなるほぼΩ字形状の１つの可動接点３４に接続されている。可動接点３４は、図３に示す一対の固定接点１７、１８の中間に対応する位置に設けられている。
【００１４】
そして、図３および図５に示すように、電池カバー３１が開けられた状態では、可動接点３４が一対の固定接点１７、１８から離間した状態（オフ状態）となる。一方、図５と同様の断面図である図７に示すように、電池カバー３１が閉じられた状態では、可動接点３４が一対の固定接点１７、１８間に弾性変形しながら入り込んだ状態（オン状態）となる。この状態では、一対の固定接点１７、１８が元の状態に戻ろうとするバネ力により可動接点３４が挟持され、これにより電池カバー３１は閉じられた状態に保持される。すなわち、可動接点３４および固定接点１７、１８は、電池カバー３１を閉じられた状態に機械的にロックするロック機能を備えている。
【００１５】
ここで、一対の固定接点１７、１８のうちいずれか一方はアンテナ３３用のものであり、電池カバー２１が閉じられた状態では、アンテナ３３は可動接点３４、一方の固定接点１７または１８および一方のリード１９または２０を介して回路基板２１に電気的に接続される。また、一対の固定接点１７、１８と可動接点３４とによってスイッチが構成され、このスイッチは電池カバー３１が開閉されたことを検知するためのものである。
【００１６】
すなわち、電池カバー３１が閉じられると、一対の固定接点１７、１８と可動接点３４とによって構成されたスイッチがオン状態となり、このオン状態に基づいて、電池カバー３１が閉じられたことが検知される。一方、電池カバー３１が開けられると、一対の固定接点１７、１８と可動接点３４とによって構成されたスイッチがオフ状態となり、このオフ状態に基づいて、電池カバー３１が開けられたことが検知される。そして、電池カバー３１が開けられたことが検知されると、電池カバー３１が開いていることを知らせるために、例えば、「電池カバーが開いています」と連続して、あるいは一定の間隔をおいてアナウンスすると、電池カバー３１の閉め忘れを防止することを可能とすることができる。
【００１７】
次に、図８はこの発明の他の実施形態において電池カバー３１を開けた状態を背面側から見た斜視図を示し、図９（Ａ）は図８に示す電池カバー３１を手前側から見た図を示し、図９（Ｂ）は図８に示す電池カバーを下側から見た図を示す。この実施形態において、上記実施形態と異なる点は、電池カバー３１の内面の周囲にリング状の溝４１を設け、この溝４１内にパッキン４２を圧入した点である。
【００１８】
このようにした場合には、電池カバー３１が閉められると、パッキン４２がリアケース１１の所定の部分に圧接されることにより、電池カバー３１の内側が防水されることになる。そして、電池カバー３１の閉め忘れがあると、その旨のアナウンスがあるため、例えば、防水機能が発揮されない状態での水中での使用を未然に防止することを可能とすることができる。
【００１９】
なお、この発明は、この発明は、携帯電話に限らず、ＰＨＳ（Personal Handyphone
System）、ＰＤＡ（Personal Data Assistance, Personal Digital
Assistance:個人向け携帯型情報通信機器）等の携帯端末機器等の電子機器にも適用することができる。また、電池カバー等のカバーは、リアケース等のケースの少なくとも一部を覆うものであればよい。
【００２０】
以下、この発明の諸態様を付記としてまとめて記載する。
【００２１】
（付記１）
付記１の発明は、ケースの少なくとも一部を覆うためのカバーを有する電子機器において、前記ケースに一対の固定接点が設けられ、前記カバーに１つの可動接点が設けられ、前記カバーが開けられると、前記固定接点と前記可動接点とによって構成されたスイッチがオフ状態となり、このオフ状態に基づいて、前記カバーが開けられたことを検知し、且つ、前記カバーが閉じられると、前記スイッチがオン状態となり、このオン状態に基づいて、前記カバーが閉じられたことを検知することを特徴とする電子機器のカバー構造である。
【００２２】
（付記２）
付記２の発明は、前記カバーが開けられたことが検知されると、前記カバーが開いていることを知らせるためのアナウンスが行われることを特徴とする付記１に記載の電子機器のカバー構造である。
【００２３】
（付記３）
付記３の発明は、前記カバーは、前記ケース内に収納された電池を覆うための電池カバーであることを特徴とする付記１または２に記載の電子機器のカバー構造である。
【００２４】
（付記４）
付記４の発明は、前記電池カバーは前記ケースに開閉可能に取り付けられ、前記スイッチがオン状態となっている状態において、前記スイッチは前記電池カバーを閉じられた状態に機械的にロックするロック機能を備えていることを特徴とする付記３に記載の電子機器のカバー構造である。
【００２５】
（付記５）
付記５の発明は、前記電池カバーの内面にバッキンが設けられていることを特徴とする付記３または４に記載の電子機器のカバー構造である。
【００２６】
（付記６）
付記６の発明は、前記電池カバーにアンテナが前記可動接点に接続されて設けられていることを特徴とする付記３〜５のいずれかに記載の電子機器のカバー構造である。
【符号の説明】
【００２７】
１  フロントケース
１１  リアケース
１３  電池
１７、１８  固定接点
２１  回路基板
３１  電池カバー
３３  アンテナ
３４  可動接点
４２  パッキン
【図１】
2013021431.tif 000003
【図２】
2013021431.tif 000004
【図３】
2013021431.tif 000005
【図４】
2013021431.tif 000006
【図５】
2013021431.tif 000007
【図６】
2013021431.tif 000008
【図７】
2013021431.tif 000009
【図８】
2013021431.tif 000010
【図９】
2013021431.tif 000011